【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
装置によるワイヤレス通信のための方法であって、
少なくとも１つの受信アンテナを介して、別の装置から送信された信号を取得することと、
前記少なくとも１つの受信アンテナで受信されるような前記信号の少なくとも１つのパラメータに基づいて、前記装置の前記別の装置と比べた向きを示す１つまたは複数の値を決定することと、
前記比べた向きを示す前記決定された１つまたは複数の値の正確性の度合いのインジケーションを備える少なくとも１つのフレームを生成することと、正確性の前記度合いの前記インジケーションは、前記比べた向きを示す前記決定された１つまたは複数の値におけるアンビギュイティのインジケーションを備える、
前記別の装置への送信のために前記少なくとも１つのフレームを出力することと、
を備える、方法。
【請求項２】
前記少なくとも１つのフレームを生成することは、前記少なくとも１つのパラメータの値に基づいて決定された異なる値の数のインジケーションを介して前記比べた向きの正確性の前記度合いの前記インジケーションを提供することを備え、
特に、前記少なくとも１つのフレームを生成することは、前記少なくとも１つのフレームにおいて前記異なる値のうちの少なくとも１つを提供すること、
または、前記少なくとも１つのフレームに前記異なる値のうちの少なくとも２つを含むこと、を備える、
または、前記方法は、特に、複数の追加のフレームを生成することをさらに備え、前記複数の追加のフレームの各々は、前記異なる値のうちの１つを含む、
請求項１に記載の方法。
【請求項３】
装置によるワイヤレス通信のための方法であって、
別の装置への送信のために信号を出力することと、
前記別の装置の前記装置と比べた向きを示す１つまたは複数の値を含む少なくとも１つのフレームを取得することと、
前記別の装置から受信されたインジケーションに基づいて、前記比べた向きを示す前記１つまたは複数の値の正確性の度合いを決定することと、正確性の前記度合いの前記インジケーションは、前記比べた向きを示す前記決定された１つまたは複数の値におけるアンビギュイティのインジケーションを備える、
前記１つまたは複数の値のうちの少なくとも１つに基づいて、前記装置の前記別の装置と比べたロケーションを決定することと、
を備える、方法。
【請求項４】
前記１つまたは複数の値の正確性の前記度合いを決定することは、前記１つまたは複数の値における考えられるアンビギュイティを決定することを備え、前記１つまたは複数の値は、前記信号が前記別の装置によって受信された方位角、仰角、ロール、または距離のうちの少なくとも１つを示す、請求項３に記載の方法。
【請求項５】
前記アンビギュイティを解消するために１つまたは複数のアクションを講じることをさらに備え、前記アンビギュイティを解消するために１つまたは複数のアクションを講じることは、
考慮事項から前記１つまたは複数の値のうちの１つまたは複数を除外することと、
前記値のうちの残りの１つまたは複数に基づいて、前記装置の前記別の装置と比べた前記ロケーションを決定することと、
を備える、請求項４に記載の方法。
【請求項６】
ワイヤレス通信のための装置であって、
装置によって、少なくとも１つの受信アンテナを介して、別の装置から送信された信号を取得するための手段と、
前記少なくとも１つの受信アンテナで受信されるような前記信号の少なくとも１つのパラメータに基づいて、前記装置の前記別の装置と比べた向きを示す１つまたは複数の値を決定するための手段と、
前記比べた向きを示す前記決定された１つまたは複数の値の正確性の度合いのインジケーションを備える少なくとも１つのフレームを生成するための手段と、正確性の前記度合いの前記インジケーションは、前記比べた向きを示す前記決定された１つまたは複数の値におけるアンビギュイティのインジケーションを備える、
前記別の装置への送信のために前記少なくとも１つのフレームを出力するための手段と、
を備える、装置。
【請求項７】
前記少なくとも１つの受信アンテナは、複数の受信アンテナを備え、前記少なくとも１つのパラメータは、前記複数の受信アンテナで受信されるような前記信号の位相の差を備える、
または、前記向きを示す前記１つまたは複数の値は、前記装置の前記別の装置と比べた方位角、仰角、ロール、または距離のうちの少なくとも１つを備える、
請求項１に記載の方法、または請求項６に記載の装置。
【請求項８】
前記少なくとも１つのフレームを生成するための前記手段は、前記少なくとも１つのパラメータの値に基づいて決定された異なる値の数のインジケーションを介して前記比べた向きの正確性の前記度合いの前記インジケーションを提供するための手段を備え、
特に、前記少なくとも１つのフレームを生成するための前記手段は、前記少なくとも１つのフレームにおいて前記異なる値のうちの少なくとも１つを提供するための手段と、
前記少なくとも１つのフレームに前記異なる値のうちの少なくとも２つを含むための手段と、を備える、または、前記装置は、特に、
複数の追加のフレームを生成するための手段をさらに備え、前記複数の追加のフレームの各々は、前記異なる値のうちの１つを含む、
請求項６に記載の装置。
【請求項９】
ワイヤレス通信のための装置であって、
別の装置への送信のために信号を出力するための手段と、
前記別の装置の前記装置と比べた向きを示す１つまたは複数の値を含む少なくとも１つのフレームを取得するための手段と、
前記別の装置から受信されたインジケーションに基づいて、前記比べた向きを示す前記１つまたは複数の値の正確性の度合いを決定するための手段と、正確性の前記度合いの前記インジケーションは、前記比べた向きを示す前記決定された１つまたは複数の値におけるアンビギュイティのインジケーションを備える、
前記１つまたは複数の値のうちの少なくとも１つに基づいて、前記装置の前記別の装置と比べたロケーションを決定するための手段と、
を備える、装置。
【請求項１０】
前記１つまたは複数の値の正確性の前記度合いを決定するための前記手段は、前記１つまたは複数の値における考えられるアンビギュイティを決定するための手段を備え、前記１つまたは複数の値は、前記信号が前記別の装置によって受信された方位角、仰角、ロール、または距離のうちの少なくとも１つを示す、請求項９に記載の装置。
【請求項１１】
前記アンビギュイティを解消するために１つまたは複数のアクションを講じるための手段をさらに備え、１つまたは複数アクションを講じるための前記手段は、考慮事項から前記１つまたは複数の値のうちの１つまたは複数を除外するための手段、および前記値のうちの残りの１つまたは複数に基づいて、前記装置の前記別の装置と比べた前記ロケーションを決定するための手段を備える、請求項１０に記載の装置。
【請求項１２】
前記別の装置によって提供される前記インジケーションは、前記別の装置で受信されるような前記信号のための少なくとも１つのパラメータに基づいて前記向きに関して決定された異なる値の数のインジケーションを備える、請求項３に記載の方法、または請求項９に記載の装置。
【請求項１３】
前記少なくとも１つのパラメータは、前記別の装置の複数の受信アンテナで受信されるような前記信号の位相の差を備える、
または、前記少なくとも１つのフレームは、前記インジケーションを備える、
請求項１２に記載の方法または装置。
【請求項１４】
前記少なくとも１つのフレームは、各々が前記異なる値のうちの１つを含む、複数の異なるフレームを備える、
または、前記少なくとも１つのフレームは、前記異なる値のうちの少なくとも２つを含む単一のフレームを備える、請求項１２に記載の方法または装置。
【請求項１５】
方法の請求項１〜請求項５または請求項７または請求項１２〜請求項１４のうちのいずれか一項に記載の方法を行うための命令を備える、コンピュータプログラム。